(57)【要約】【課題】  施工が簡単で仕上がり精度や外観に優れ、枠見込み幅を広くとることが可能で、取手や蝶番等が壁面から突出することを防止でき、体の不自由な人にとって、安全で、使い勝手の良いドアを可能とする。特注でない部材、蝶番、ラッチ受け金具等を組み合わせて用い、特注対応不要で、コスト、納期的に有利なドア枠を安価に提供する。【解決手段】  ドア枠本体、調整部材、調整枠からなり、ドア枠本体の長手方向外側面に第１嵌合溝が設けられ、対向長手方向に沿って切欠段部が設けられ、調整部材はドア枠本体の切欠段部と開口端面の間の調整溝に嵌挿され、調整部材の外側面長手方向に沿って第２嵌合溝が設けられ、調整枠は嵌合溝に嵌挿される嵌合片とその端部から折曲して形成される固定片とで略Ｌ字形状を有し、調整部材は調整溝内を、嵌合片は嵌合溝内をスライド自在に構成され調整枠の固定片によって壁面を両側から挟持するようにした。【選択図】        図１
2006009426.tif 000002
【特許請求の範囲】
【請求項１】
建物の壁面開口部に設けられる左右の縦枠と上部の上枠とからなるドア枠において、該ドア枠は、枠本体と、調整部材と、調整枠からなり、前記枠本体は、見込み幅方向の側面で長手方向に沿った外側面に、第１の嵌合溝が設けられており、枠本体の、前記第１の嵌合溝と対向する側面の長手方向に沿って、切欠段部が設けられており、
該切欠段部と壁面開口部端面との間に調整溝が形成されており、前記調整部材は、見込み幅方向の内側の端部を前記調整溝に嵌挿されており、対向する外側の端部の長手方向に沿って、第２の嵌合溝が設けられており、前記調整枠は、前記第１及び第２の嵌合溝に嵌挿される嵌合片と該嵌合片の端部から折曲して形成されている固定片からなり、断面視略Ｌ字型形状を有しており、前記調整部材は前記調整溝内を見込み幅方向にスライド自在に構成され、前記調整枠の嵌合片は前記第１、第２の嵌合溝内を見込み幅方向にスライド自在に構成されており、前記調整枠の固定片によって、壁面を両側から挟持する構成を有することを特徴とするドア枠。
【請求項２】
前記調整枠が弾性を有する部材からなり、前記調整枠の嵌合片と固定片とが折曲する、折曲角度が９０度よりも小さな鋭角であることを特徴とする請求項１に記載のドア枠。
【請求項３】
前記枠本体に設けられた第１の嵌合溝、及び前記調整部材に設けられた第２の嵌合溝内に嵌挿されている前記調整枠の嵌合片の、見込み幅方向の先端部に係止部が設けられていることを特徴とする請求項１又は請求項２のいずれかに記載のドア枠。
【発明の詳細な説明】
【技術分野】
【０００１】
本発明は建物の開口部に用いられるドア枠に関し、詳しくは枠見込み幅の幅広タイプに十分対応可能なドア枠に関する。
【背景技術】
【０００２】
従来、建物の開口部に開き扉タイプのドアとその周縁のドア枠を取り付ける場合、従来はドア枠の見込み幅方向の寸法は変更することが出来ない固定タイプのものが多く、その枠見込み幅も通常の比較的狭い幅を有するものであった。また、近年、そこに住む人のライフスタイルの多様化、好みやニ−ズの多様化等に伴い、住宅の間取りや施工される壁面材の種類も多くなり、使用するドア等の建具の種類も豊富になってきた。さらに、壁厚も通常の約１００ｍｍ前後に比べて大きくすることも多い。
【０００３】
従って、壁面の厚みが建物の種類や使用する壁面材の種類によっても、さまざま異なる場合が多く、また、施工現場毎に若干厚みが異なることも多かった。そこで、さまざまな壁厚に対応できる、調整可能なタイプのドア枠として、いわゆるケ−シング枠（調整枠）方式のものが施工作業性や施工仕上がり性の観点から優れたドア枠として従来から数多く使用されてきた。
【０００４】
これは、ドア枠の見込み幅方向の端面に嵌合溝を設け、該嵌合溝に調整枠の嵌合片を嵌入させ、枠の見込み幅を調整可能とした構造のもので、従来例として、施工性や作業性を低下させることなく、さまざまな壁厚に対応するために、ケ−シング枠（調整枠）タイプのドア枠において、断面略Ｌ字型の見切り材の切断加工を精度良く、しかも簡単に行うことができるように、見切り材の縦片に設けられた適宜間隔の切溝を切断目印としたものがある。（例えば特許文献１参照。）。
【０００５】
【特許文献１】特開２０００−６４７１７号公報（第１−３ペ−ジ、第１図、第３図、第５図）。
【発明の開示】
【発明が解決しようとする課題】
【０００６】
ところで、通常の枠見込み幅を有する、ケ−シング枠（調整枠）タイプのものは、枠見込み幅が狭く、ドア厚みが通常約４０〜５０ｍｍ程度として、戸当たり部分等を合わせても、枠の見込み幅がせいぜい約８０ｍｍ前後と比較的狭いものであった。このケ−シング枠（調整枠）タイプのものは、正面から見て、手前側と奥側に、調整枠を嵌入させ、約１００ｍｍ前後の通常の壁厚に十分対応できていた。
【０００７】
しかしながら、このように狭い枠見込み幅のドア枠を用いて施工すると、ドア本体はせいぜい厚みが４０〜５０ｍｍ程度であるので、ドア枠からドア本体がはみ出ることがないが、しかし、ドアに取り付けられ、通常はドア本体の表面から突出している取手やレバ−ハンドルや蝶番等が、枠見込み幅に納まり切らず、お年寄りや体の不自由な人の住む住宅においては、歩行中に取手やレバ−ハンドル等に引っ掛かる場合が多く、怪我をしたり、これが原因で転倒するなどの事故が発生していた。ドア表面からの突出物は危険なことが多く、これが支障となることが多々あった。
【０００８】
このため、通常使用される狭幅のドア枠に比べて見込み幅の広いタイプのドア枠が必要になるが、特殊な寸法の部材はコスト的にも高価なものにつくだけでなく、特注で製造すると、納期、コストの面で、かなりかかる場合が多く大変不利になっていた。ドア枠、調整部材、調整枠が特注対応となり、コスト、納期的にも不利になるばかりでなく、ラッチ受け金具や蝶番等の金具そのものも特注扱いとなり、コスト、納期的に木質材料以上に不利となっていた。
【０００９】
また、上記従来技術、例えば、上記特開２０００−６４７１７号公報に記載のものにあっては、調整枠の嵌合部分の長さに限りがあり、従って、調整枠の嵌合部分の出し入れ寸法での対応のみでは対応仕切れない場合が多く、そのために、ドア枠本体の見込み幅そのものを幅広にせざるを得ず、このため、特注枠となり、コスト、納期的にも問題が多くあった。そればかりでなく、ラッチ受け金具や蝶番等の金具部品も特注扱いとなり、コスト、納期的にも大変不利となっていた。
【００１０】
本発明は上述した事情に鑑みてなされるもので、施工が簡単であると共に、施工の仕上がり精度や外観的にも優れたものとなり、従来から有る枠本体及び調整部材とそれに嵌合する調整枠を組み合わせて用いることで、枠の見込み幅を十分に広くとることが可能となり、取手やレバ−ハンドルや蝶番等の突出物をドア枠の見込み幅寸法内に納めることが可能となり、従って、取手やレバ−ハンドル等の突出物が枠見込み幅から出っ張ることが防止可能で、お年寄りや体の不自由な人にとっても、安全で、しかも使い勝手の良いドアを可能とする。さらに、枠本体と調整部材と調整枠が特注扱いになることが防止できるのみならず、ラッチ受け金具や蝶番等の金具そのものも特注扱いにならずに済むので、従来から有る材料、部品を利用可能で、特注対応が不要となり、コスト、納期的にも有利なドア枠を提供することを課題とする。
【課題を解決するための手段】
【００１１】
上記課題を解決するためになされた請求項１に記載の本発明のドア枠は、建物の壁面開口部に設けられる左右の縦枠と上部の上枠とからなるドア枠において、該ドア枠は、枠本体と、調整部材と、調整枠からなり、前記枠本体は、見込み幅方向の側面で長手方向に沿った外側面に、第１の嵌合溝が設けられており、枠本体の、前記第１の嵌合溝と対向する側面の長手方向に沿って、切欠段部が設けられており、該切欠段部と壁面開口部端面との間に調整溝が形成されており、前記調整部材は、見込み幅方向の内側の端部を前記調整溝に嵌挿されており、対向する外側の端部の長手方向に沿って、第２の嵌合溝が設けられており、前記調整枠は、前記第１及び第２の嵌合溝に嵌挿される嵌合片と該嵌合片の端部から折曲して形成されている固定片からなり、断面視略Ｌ字型形状を有しており、前記調整部材は前記調整溝内を見込み幅方向にスライド自在に構成され、前記調整枠の嵌合片は前記第１、第２の嵌合溝内を見込み幅方向にスライド自在に構成されており、前記調整枠の固定片によって、壁面を両側から挟持する構成を有することを特徴としている。
【００１２】
このような構成を有する本発明によれば、枠本体、調整部材、及びそれに嵌合する調整枠を組み合わせて用い、枠本体に設けられた調整溝内を調整部材がスライド自在に出入りし、しかも、枠本体および前記調整部材に設けられた第１及び第２の嵌合溝内を調整枠の嵌合片がスライド自在に出入り可能な構成ゆえ、枠の見込み幅を、従来に比べて格段に広くとることができ、そのため、取手やドアハンドルや蝶番等を枠見込み幅内に納めることで、それらの突出物を、なくすといった点において、いっそう好適なものとなり、お年寄りや体の不自由な人にとっても、安全で、使い勝手の良い建具が可能となる。
【００１３】
さらに、従来から有る、特注でない、ドア枠、調整部材、調整枠を組み合わせて用いるので、特注対応が不要となり、コスト、納期的にも有利なものとななる。さらに、ドア枠、調整部材、調整枠以外のラッチ受け金具や蝶番等の金具についても特注扱い不要で、コスト、納期的にも大変有利なものとななる。さらに、枠本体と調整部材とが当接状態でなく、調整部材が枠本体に設けられた調整溝内に嵌挿される構成ゆえ、枠本体と調整部材間に、隙間等が生じる恐れがない。
【００１４】
請求項２に記載の本発明のドア枠は、請求項１に記載のドア枠において、前記調整枠が弾性を有する部材からなり、前記調整枠の嵌合片と固定片とが折曲する、折曲角度が９０度よりも小さな鋭角であることを特徴としている。
【００１５】
このような構成を有する本発明によれば、前記調整枠が弾性を有する部材からなり、前記嵌合片と固定片とが折曲する、折曲角度が９０度よりも小さな鋭角であるので、前記第１及び第２の嵌合溝に調整枠の嵌合片を奥まで嵌挿させた時、調整枠の嵌合片と固定片とのなす角度が、元々鋭角であったものが、略９０度となり、若干押し広げられる。この時、調整枠が弾性を有する部材からできているので、略９０度に押し広げられたものが元の鋭角に復元しようとする力が働く。従って、調整枠の固定片と壁面との間には隙間が発生することがなくぴったりと壁面を両側から挟持できるようになる。
【００１６】
請求項３に記載の本発明のドア枠は、請求項１又は請求項２のいずれかに記載のドア枠において、前記枠本体に設けられた第１の嵌合溝、及び前記調整部材に設けられた第２の嵌合溝内に嵌挿されている前記調整枠の嵌合片の、見込み幅方向の先端部に係止部が設けられていることを特徴としている。
【００１７】
このような構成を有する本発明によれば、調整枠の嵌合片の見込み幅方向の先端部に係止部が設けられているので、調整枠の嵌合片の先端部を第１及び第２の嵌合溝に嵌挿させる時、先端部にある係止部の働きで、嵌挿後、しっかりと係止可能で、嵌挿不十分なことが原因で生じる、調整枠の折曲部での浮き上がり等が生じることがない。
【発明の効果】
【００１８】
本発明によれば、建物の壁面開口部において、枠本体に対し調整部材及び調整枠が見込み幅方向にスライド自在に設けられているので、枠見込み幅を、従来に比べて格段に広くとることができ、そのため、取手やドアハンドルや蝶番等の突出物を枠見込み幅内に納めて壁面からの突出をなくすことが可能となる。従って、お年寄りや体の不自由な人にとっても、安全で、使い勝手の良い建具が可能となる。
【００１９】
さらに、従来から有る、特注でない、枠本体、調整部材、調整枠を組み合わせて用いるので、特注対応が不要となり、コスト、納期的にも有利なものとななる。しかも、ラッチ受け金具や蝶番等の金具部品も特注対応が不要であり、コスト、納期的にも有利なものとななる。さらに、枠本体と調整部材とが当接状態でなく、調整部材が枠本体の調整溝内に嵌挿される構成ゆえ、両者の間に隙間等が生じる恐れがない。
【００２０】
また、前記調整枠が弾性を有する部材からなり、前記嵌合片と固定片とが折曲する、折曲角度が９０度よりも小さな鋭角であるので、前記第１及び第２の嵌合溝に調整枠の嵌合片を奥まで嵌挿させた時、調整枠の嵌合片と固定片とのなす角度が、元々鋭角であったものが、略９０度となり、若干押し広げられる。この時、調整枠が弾性を有する部材からできているので、略９０度に押し広げられたものが元の鋭角に復元しようとする力が働く。従って、調整枠の固定片と壁面との間には隙間が発生することがなくぴったりと壁面を両側から挟持できる。
【００２１】
また、調整枠の嵌合片の先端部に係止部が設けられているので、調整枠の嵌合片の先端部を第１及び第２の嵌合溝に嵌挿させる時、先端部にある係止部の働きで、しっかりと嵌挿可能で、調整枠の折曲部で嵌挿不十分による浮き上がり等が生じることがない。
【発明を実施するための最良の形態】
【００２２】
本発明の詳細を図面に従って説明する。図１は本発明のドア枠の一実施形態を示す水平断面図、図２は図１の要部拡大図である。
【００２３】
図１、図２において、本発明における、ドア枠１は住宅等建物の開口部の周縁に取り付けられ、開き扉タイプのドアＤが、前記ドア枠１の内部に開閉自在に、例えば蝶番ＨＪ等で、枠本体２に取り付けられている。本発明のドア枠１は左右の縦枠３と上部の上枠４で構成されており、必要に応じて下部の床材（図示せず）上に下枠（図示せず）が設けられている。
【００２４】
本発明のドア枠１は、枠本体２と調整部材Ｐと枠見込み幅の手前側及び奥側の２本の調整枠Ｔとから構成されている。従来のドア枠の見込み幅（ドア枠を正面から見た場合の奥行き寸法）は通常の壁厚寸法に対応可能な寸法が標準寸法とされており、通常よりも大きな壁厚寸法に対応することは極めて困難であった。しかし、本発明のドア枠１の構成は、以下のように構成されているので壁厚対応力、特に広幅壁厚に対する対応力に優れる。
【００２５】
すなわち、本発明のドア枠１は、枠本体２と調整部材Ｐと壁面Ｗを、枠見込み幅方向の両側から挟持する２本の調整枠Ｔとからなっている。本発明の枠本体２の枠見込み幅寸法は標準寸法のもので間に合わせることができ、特注対応不要な構成となっている。前記枠本体２の見込み幅方向の側面で長手方向に沿った外側面に第１の嵌合溝Ｋ１が設けられている。枠本体の、これと対向する側面の長手方向に沿って、切欠段部Ｓが設けられている。前記枠本体２の切欠段部Ｓと壁面Ｗの開口部端面との間に調整溝Ｍが形成されており、前記調整部材Ｐは見込み幅方向の内側の端部を前記調整溝Ｍ内に嵌挿されている。
【００２６】
前記調整枠Ｔは、嵌合片Ｔ２と該嵌合片の端部から折曲して形成されている固定片Ｔ１からなり、断面形状で、略Ｌ字型形状を有している。
【００２７】
前記調整部材Ｐの外側の端部の側面で長手方向に沿って、第２の嵌合溝Ｋ２が設けられており、前記調整枠Ｔの嵌合片Ｔ２は前記第１及び第２の嵌合溝Ｋ１及びＫ２に嵌挿されている。嵌合片Ｔ２の厚みとと嵌合溝Ｋ１、Ｋ２の溝幅との関係は、適度に固めに設定されている。手で力を加えれば押し込め、治具で引っ張ると簡単に取り除くことができる程度の固さである。調整溝Ｍと調整部材Ｐとの嵌合程度も同様である。
【００２８】
前記調整部材Ｐは調整溝Ｍ内を枠見込み幅方向にスライド自在に構成されており、また、嵌合片Ｔ２と固定片Ｔ１からなる断面視略Ｌ字型形状の前記調整枠Ｔの嵌合片Ｔ２は、前記第１及び第２の嵌合溝Ｋ１、Ｋ２内を枠見込み幅方向にスライド自在に構成されている。調整部材Ｐ及び嵌合片Ｔ２の嵌合深さを変化させることで、ドア枠１の見込み幅方向の寸法が大きくなったり、逆に小さくなったり変化させることが可能となる。このようにして、施工現場毎の壁厚の変化に十分対応可能な構成となっている。このようにして、前記調整枠Ｔの固定片Ｔ１によって壁面Ｗを両側から挟持する構造とされている。
【００２９】
左右の縦枠３及び上部の上枠４からなる、正面から見て、略コの字型形状の三方枠を上記の構成となるように組み立てる。下部の床材（図示せず）の表面に設ける下枠（図示せず）は必要に応じて取り付ける。
【００３０】
枠本体２は例えば木ネジＮを用いて壁面Ｗの開口部端面の芯材に機械的手段で取り付ける。この時、枠本体２に木ネジＮ用のネジ穴ＮＨを設けておくと作業性が向上する。また、木ネジＮのネジ頭が枠本体２の表面から突出しないように、ネジ穴ＮＨの先端部はねじ頭が収納できる程度に大きくしておくと、さらによい。
【００３１】
このようにして、開口部に取り付けたドア枠１にドアＤを吊り込む。左右の枠本体２の一方に蝶番ＨＪでドアＤを取り付け、反対側の枠本体２に戸当たり部材Ｅ及びラッチ受け金具Ｃを取り付ける。さらに、ドアＤの所定位置に取手Ｈを取り付ける。枠見込み幅が広くとれるので、蝶番ＨＪや取手Ｈ等が枠見込み幅から外へ突出する恐れがない。
【００３２】
枠本体２に設けられた戸当たり部材Ｅとラッチ受け金具Ｃの先端部の間にドアＤが納まるように構成されている。この時、ドアＤの取手Ｈ及び蝶番ＨＪが、ドア枠１の見込み幅の中に納まり、壁面Ｗから外へ出っ張らないような構成となっている。このような構成ゆえ、お年寄りや体の不自由な人のいる住宅においても、ドアＤの取手Hや蝶番ＨＪ等の壁面Ｗからの突出が防止でき、突出物に引っ掛かるなどして怪我をするなどの恐れがない。
【００３３】
枠本体２、調整部材Ｐ、及び調整枠Ｔの材質は芯材として、例えば、ラワン、ジョンコン、メランティ−等の南洋材又は、レッドシダ−、イエロ−パイン等の針葉樹を木質繊維を平行させて積層して得られた平行合板（ＬＶＬ）、平行合板の両面に中比重繊維板（ＭＤＦ）を積層させた複合材や、構造用合板等を用い、その表面にオレフィン樹脂化粧シ−トや塩ビ樹脂化粧シ−ト、又は天然突板等を貼着したものが好適に用いられる。これらの他に硬質又は半硬質の合成樹脂成型体等を用いることもできる。塩ビ樹脂成型体、ウレタン樹脂成型体等を例示できる。
【００３４】
本発明の調整枠Ｔを弾性を有する、例えば合成樹脂成型体で作製し、調整枠Ｔを構成する嵌合片Ｔ２と固定片Ｔ１との間の折曲部Ｂにおける折曲角度αを９０度よりも小さな鋭角とする。このような調整枠Ｔの嵌合片Ｔ２を嵌合溝Ｋ１、Ｋ２に嵌合させると、前記折曲角度αが押し広げられて鋭角から略直角になる。この時、調整枠Ｔが弾性を有しているので、押し広げた反発力、すなわち復元力で、固定片Ｔ２と壁面Ｗとの間の隙間の発生が防止でき、しっかりと壁面Ｗを挟持できる。特に開口部周縁の壁面に不陸がある場合、調整枠Ｔの前記復元力が有効に働き、固定片Ｔ２と壁面Ｗとの間の隙間の発生が防止できる。
【００３５】
前記弾性を有する材料としては、例えば、半硬質の塩ビ樹脂成型体やウレタン樹脂成型体等のものが好適に用いられる。しかし、これらに限られるものではない。
【００３６】
また、折曲角度αが約７５度〜８５度の範囲であると、前記隙間発生防止や取り付け作業性、仕上がり精度等にとって好適である。折曲角度αが、約７５度〜８５度であると、調整枠Ｔの上記復元力による壁面挟持力が最適となる。前記折曲角度が約７５度以下では、調整枠Ｔの嵌合片Ｔ２を嵌合溝Ｋ１、Ｋ２に嵌挿させた時、調整枠Ｔの折曲部Ｂで完全に嵌挿仕切れないで浮き上がりが生じる恐れがある。また、前記折曲角度αが約８５度以上の場合、上記復元力による壁面挟持力が弱くなり、壁面Ｗの不陸が大きい場合、調整枠Ｔの固定片Ｔ１と壁面Ｗとの間に隙間が生じる恐れがある。
【００３７】
また、前記枠本体２に設けられた調整溝Ｍ内に調整部材Ｐを嵌挿させる構成ゆえ、枠本体２と調整部材Ｐとの間で隙間が生じることがなく、しかも、製造時の木質繊維の若干のササクレ等（図示せず）が視覚的に目立ちにくくなり、施工仕上がり精度や外観に優れたものとなる。
【００３８】
また、本発明の調整枠Ｔの嵌合片Ｔ２の先端部に係止部Ｒが形成されていると、嵌合片Ｔ２の先端部を第１及び第２の嵌合溝Ｋ１、Ｋ２に嵌挿させる時、先端部にある係止部Ｒの働きで、しっかりと嵌挿可能で、調整枠Ｔの折曲部Ｂで嵌挿不十分による浮き上がり等が生じることがない。
【００３９】
前記調整枠Ｔの嵌合片Ｔ２の先端部に設けられる係止部Ｒとしては、一例として、鉤状の係止部を挙げることができる。嵌合片Ｔ２先端の鉤（フック）によって係止状態がしっかりと維持できる。これ以外の構造の係止部であっても、もちろんよいものとする。
【００４０】
前記鉤状の係止部Ｒの大きさを嵌合溝Ｋよりも若干大きめにし、係止部Ｒを嵌挿したとき、若干固めにしておくと、たたき込んで嵌挿するだけで、しっかりと差し込むことができ、接着剤等が不要となる。このようにすると、長期間使用後、建て付けの再調整の時に、調整枠Ｔを取り外し易くなる。また、同様のことが、調整溝Ｍと調整部材Ｐとの関係でも生じる。調整部材Ｐの先端に例えば鉤状の係止部を設けると、長期間使用後、建て付けの再調整時に便利である。また、係止部を設けないで、調整溝Ｍと調整部材Ｐの嵌合程度を若干固めにして接着剤を使用しないようにすれば、長期間使用後、建て付けの再調整時に便利である。
【００４１】
前記鉤状の係止部を有する断面形状略Ｌ字型形状の調整枠Ｔは、例えば、塩ビ樹脂成型体、ウレタン樹脂成型体等を押し出し成型等によって作製することができる。この時、樹脂の押し出し口の金型形状の断面形状を、略Ｌ字型形状で先端部に鉤状を有するようにし、例えば押し出し成型方法で作製できる。また、前記Ｌ字型の折曲部Ｂの折曲角度αについても、押し出し成型時の金型形状を所定の折曲角度になるようにすればよい。
【００４２】
また、壁厚調整寸法は、図２に示すように、枠見込み幅方向の手前側においては、調整枠Ｔによる壁厚調整寸法Ｌ１及び調整部材Ｐによる壁厚調整寸法Ｌ２の合計Ｌ３である。また、枠見込み幅方向の奥側においては、調整枠Ｔによる壁厚調整寸法Ｌ１である。従って、壁厚の調整寸法の最大寸法Ｌは、このＬ１とＬ３を加えた寸法となる。
【００４３】
Ｌ＝Ｌ１＋Ｌ３
Ｌ３＝Ｌ１＋Ｌ２
従って、
Ｌ＝２Ｌ１＋Ｌ２
となる。
【図面の簡単な説明】
【００４４】
【図１】本発明のドア枠の一実施形態を示す水平断面図。
【図２】図１の要部拡大図。
【符号の説明】
【００４５】
１      ドア枠
２      枠本体
３      縦枠
４      上枠
Ｐ      調整部材
Ｔ      調整枠
Ｔ１    固定片
Ｔ２    嵌合片
Ｂ      折曲部
α      折曲角度
Ｒ      係止部
Ｓ      切欠段部
Ｍ      調整溝
Ｋ      嵌合溝
Ｋ１    第１の嵌合溝
Ｋ２    第２の嵌合溝
Ｄ      ドア
Ｈ      取手
Ｅ      戸当たり部材
Ｃ      ラッチ受け金具
ＨＪ    蝶番
Ｗ      壁面
Ｎ      木ネジ
ＮＨ    ネジ穴
Ｌ      壁厚調整の最大寸法
Ｌ１    調整枠による壁厚調整寸法
Ｌ２    調整部材による壁厚調整寸法
Ｌ３    調整枠及び調整部材による壁厚調整寸法
【図１】
2006009426.tif 000003
【図２】
2006009426.tif 000004